(57)【特許請求の範囲】
【請求項１】
無線通信システムであって、
セルにサービスを提供する複数の中央光送受信機と、
複数の遠隔光送受信機であって、前記複数の遠隔光送受信機の各々が、前記セル内の複数のサブセルのうちの各々にサービスを提供しており、かつ、前記複数の遠隔光送受信機の各々が、関連する前記中央光送受信機の各々との間で無線伝送される光によって前記中央光送受信機の各々と通信するように構成されている遠隔光送受信機とからなり、
前記遠隔光送受信機の各々は、前記遠隔光送受信機の前記各々によってサービスされるサブセル内において前記遠隔光送受信機の前記各々と無線通信ユニットとの間で通信される無線周波数信号と、前記遠隔光送受信機の前記各々と関連する中央光送受信機との間で通信される光と、を変換する電子回路を含み、前記無線通信システムはさらに、
無線通信を制御する制御回路を含む無線通信交換局であって、前記中央光送受信機及び前記遠隔光送受信機から遠隔の無線通信交換局と、
前記無線通信交換局と前記中央光送受信機との間の通信リンクとからなり、
前記通信リンクは、前記無線通信交換局と前記中央光送受信機との間の有線通信リンクからなる無線通信システム。
【請求項２】
請求項１記載のシステムにおいて、前記有線通信リンクは、前記無線通信交換局と前記中央光送受信機との間の光ファイバを含む無線通信システム。
【請求項３】
請求項１記載のシステムにおいて、前記遠隔光送受信機の前記各々と前記関連する中央光送受信機との間で情報を通信するために固有の波長を有する光が使用され、前記情報は、前記サブセルの各々において、前記遠隔光送受信機の前記各々と前記無線通信ユニットとの間での無線伝送によって通信される無線通信システム。
【請求項４】
請求項１記載のシステムにおいて、前記関連する中央光送受信機から前記遠隔光送受信機の前記各々に情報を通信するために第１の固有の波長を有する光が使用されると共に、前記遠隔光送受信機の前記各々から前記関連する中央光送受信機に情報を通信するために第２の固有の波長を有する光が使用される無線通信システム。
【請求項５】
請求項４記載のシステムにおいて、前記中央光送受信機の各々は、前記サブセルの全てとの通信のために使用される波長を含む光を関連する遠隔光送受信機に送信する無線通信システム。
【請求項６】
請求項５記載のシステムにおいて、前記遠隔光送受信機の各々は、前記遠隔光送受信機の前記各々で受信される波長から、前記遠隔光送受信機の前記各々によってサービスされる前記サブセルにおいて前記遠隔光送受信機の前記各々と前記無線通信ユニットとの間で通信されるべき情報を通信するために使用される波長、を選択する光フィルタ装置を含む無線通信システム。
【請求項７】
請求項６記載のシステムにおいて、前記光フィルタ装置はブラッグ回折格子装置からなる無線通信システム。
【請求項８】
請求項４記載のシステムにおいて、前記サブセルの全てに制御情報を通信するために、さらに固有の波長を有する光が使用される無線通信システム。
【請求項９】
請求項８記載のシステムにおいて、前記遠隔光送受信機の各々は、前記遠隔光送受信機の前記各々で受信される波長から、前記情報を関連するサブセルに通信するために使用される波長と前記制御情報を前記サブセルの全てに通信するために使用される波長とを選択する光フィルタ装置を含む無線通信システム。
【請求項１０】
請求項９記載のシステムにおいて、前記フィルタ装置はブラッグ回折格子装置からなる無線通信システム。
【請求項１１】
請求項２記載のシステムにおいて、前記光ファイバは前記無線通信交換局から前記中央光送受信機へ光を送信する無線通信システム。
【請求項１２】
請求項１１記載のシステムにおいて、前記光ファイバは、前記光ファイバを介して送信中の光を光学的に増幅するための、エルビウムがドープされたファイバを含む無線通信システム。
【請求項１３】
請求項２記載のシステムにおいて、前記光ファイバは、関連する遠隔光送受信機から前記中央光送受信機の各々によって受信された光を前記無線通信交換局へ送信する無線通信システム。
【請求項１４】
請求項１３記載のシステムにおいて、前記遠隔光送受信機の各々は、固有の波長を有する光を関連する中央光送受信機へ送信し、前記システムはさらに、前記光ファイバに印加するために、前記遠隔光送受信機から前記中央光送受信機の全てによって受信された光を合成する光カップラ装置を含む無線通信システム。
【請求項１５】
請求項１３記載のシステムにおいて、前記光ファイバは、前記中央光送受信機から前記無線通信交換局へ前記光ファイバを介して送信中の光を光学的に増幅するための、エルビウムがドープされたファイバを含む無線通信システム。
【請求項１６】
無線通信システムにおいて使用される無線通信方法であって、前記無線通信システムは、セルにサービスする中央アンテナと、複数の遠隔アンテナであって、各々が前記セル内の複数のサブセルの各々にサービスする、複数の遠隔アンテナと、前記無線通信システムを制御する無線通信交換局とからなり、前記無線通信交換局は、前記中央アンテナ及び前記複数の遠隔アンテナから遠隔にあり、本方法は、
（ａ）前記無線通信交換局と前記中央アンテナとの間で有線接続を介して情報を通信するステップと、
（ｂ）前記中央アンテナと前記複数の遠隔アンテナの各々との間で前記情報の少なくともいくつかを、前記中央アンテナと前記複数の遠隔アンテナの各々との間で無線伝送される光によって通信するステップと、
（ｃ）前記複数の遠隔アンテナの各々と前記複数の遠隔アンテナの前記各々によってサービスされるサブセル内の無線通信装置との間で前記情報の少なくともいくつかを、前記複数の遠隔アンテナの前記各々と前記無線通信装置との間で放送される無線信号によって通信するステップとからなる無線通信方法。
【請求項１７】
請求項１６記載の方法において、前記無線通信交換局と前記中央アンテナとの間で通信する前記ステップは光通信による、無線通信方法。
【請求項１８】
請求項１７記載の方法において、前記光通信は、前記無線通信交換局と前記中央アンテナとの間の光ファイバによって導かれる無線通信方法。
【請求項１９】
請求項１６記載の方法において、前記無線通信交換局と前記中央アンテナとの間で通信する前記ステップは双方向である無線通信方法。
【請求項２０】
請求項１６記載の方法において、前記中央アンテナと前記複数の遠隔アンテナの各々との間で通信する前記ステップは双方向である無線通信方法。
【請求項２１】
請求項１６記載の方法において、前記複数の遠隔アンテナの各々と前記無線通信装置との間で通信する前記ステップは双方向である無線通信方法。
【請求項２２】
請求項１６記載の方法において、前記情報はメッセージ情報と制御情報を含む無線通信方法。
【請求項２３】
請求項２２記載の方法において、前記制御情報は、前記複数の遠隔アンテナの各々と前記無線通信装置との間で通信する前記ステップのために使用されるべき無線周波数の選択を制御するための無線周波数割当情報を含む無線通信方法。
【請求項２４】
請求項１７記載の方法において、前記無線通信交換局と前記中央アンテナとの間で通信する前記ステップは双方向であり、各方向の通信のために、異なる波長を有する光が使用される無線通信方法。
【請求項２５】
請求項１９記載の方法において、各方向の通信のために、異なる波長を有する光が使用される無線通信方法。
【請求項２６】
請求項２４記載の方法において、前記情報はメッセージ情報と制御情報を含み、前記メッセージ情報と前記制御情報を前記無線通信交換局から前記中央アンテナへ通信するために、異なる波長を有する光が使用される無線通信方法。
【請求項２７】
請求項２５記載の方法において、前記情報はメッセージ情報と制御情報を含み、前記メッセージ情報と前記制御情報を前記中央アンテナから前記複数の遠隔アンテナの各々へ通信するために、異なる波長を有する光が使用される無線通信方法。
【請求項２８】
請求項２６記載の方法において、前記メッセージ情報は複数のメッセージ部分を含み、各メッセージ部分は前記複数の遠隔アンテナの各々において使用され、前記メッセージ部分の各々を前記無線通信交換局から前記中央アンテナへ通信するために、異なる波長を有する光が使用される無線通信方法。
【請求項２９】
請求項２７記載の方法において、前記メッセージ情報は複数のメッセージ部分を含み、各メッセージ部分は前記複数の遠隔アンテナの各々において使用され、前記メッセージ部分の各々を前記中央アンテナから前記複数の遠隔アンテナの各々へ通信するために、異なる波長を有する光が使用される無線通信方法。
【請求項３０】
請求項２９記載の方法において、前記中央アンテナは、前記メッセージ部分の全てを前記複数の遠隔アンテナの全てに通信する無線通信方法。
【請求項３１】
請求項３０記載の方法において、さらに、前記複数の遠隔アンテナの各々において、前記複数の遠隔アンテナの前記各々で使用されるメッセージ部分のために使用される波長を選択しかつ前記複数の遠隔アンテナのうちの他の遠隔アンテナで使用されるメッセージ部分のために使用される波長を拒絶するためにろ波するステップを含む無線通信方法。
【請求項３２】
請求項２０記載の方法において、前記複数の遠隔アンテナの各々から前記中央アンテナへ通信するために、異なる波長を有する光が使用される無線通信方法。
【発明の詳細な説明】
【０００１】
【発明の属する技術分野】
本発明は、セルラー電話装置等の無線通信装置に関し、特に、通信容量が増加した無線通信装置に関する。
【０００２】
【従来の技術及び発明が解決しようとする課題】
セルラー電話装置等の無線通信装置は、信号が送受信機から比較的短い距離だけ（例えば、ほぼ、送受信機から１乃至３マイルの半径を有するセルの境界まで）伝わるように、比較的低電力の送受信機から伝播する比較的少数の無線周波数に頼っている。したがって、同じ無線周波数を、異なるセルにおける同一周波数による異なるメッセージ間の受け入れがたい干渉なしに、近くのセルにおける他のメッセージのために再使用することができる。しかしながら、この形式の通信に許されている無線周波数の数は政府規制や他の要件によって制限されているので、どの所定のセルにおいても、一度に、相応じて制限された数のセルラー電話呼を支援することができるだけである。使用度の高いエリアでは、これは、いくつかの呼が終わるのを妨げることがあり、及び／または、幾人かの発呼者にサービスを待つよう強いることがある。これは明らかに望ましくない。
【０００３】
エリア内で同時に支援することができる呼の数を増加させるために可能な一方法は、セルのサイズを減少させることである。これは、利用可能な無線周波数のより多数の再使用を可能にする。例えば、従来のセルは、各々が従来のセルと関連する従来の送受信機よりさらに低い電力を有する送受信機を備えた複数のサブセルに小分けすることができる。従来のセルが４つのサブセルに小分けされた場合は、元のセルのエリアにおいて、セルが小分けされなかった場合に支援できる呼の４倍くらい多い呼を支援することが理論的に可能である。
【０００４】
セルの小分けを阻害する可能性があるのは、全ての新しいサブセル送受信機位置まで光ファイバ等の高級な有線通信リンクを走らせる費用である。
上記の観点から、本発明の目的は、無線通信装置の容量を増加させるコストと困難さを減らすことにある。
また、本発明のより詳細な目的は、全てのサブセル送受信機位置まで有線接続を持たない、サブセルを伴う無線通信装置を提供することにある。
【０００５】
【課題を解決するための手段】
本発明のこれら及び他の目的は、本発明の原理にしたがって、無線通信装置セルにおける中央位置とそのセル内の複数のサブセル送受信機の各々との間の、ポイントツーポイントの、実質的に無誘導の、自由空間光通信を使用することによって達成される。例えば、中央位置は、そのセルの既存の無線周波数送受信機の位置とすることができる。この送受信機は複数の中央光送受信機に変えられる。各サブセルには、関連サブセル内の中央に位置ししたがって前述の中央光送受信機から離れた光送受信機が備えられる。各サブセル光送受信機は、実質的に無誘導の自由空間光通信リンク（例えば、双方向、視程、赤外線送信）によって中央光送受信機のそれぞれに光結合される。また、各サブセルは、そのサブセル内の無線通信ユニット（例えば、移動またはセルラー電話機）にサービスを提供する無線周波数送受信機を含む。また、各サブセルは、その光送受信機と無線周波数送受信機間をインターフェースする回路も含む。中央光送受信機は、典型的に、有線通信リンク（例えば、移動電話交換局までの双方向光ファイバリンク）を介してセルの範囲を越えて全体システムの一部と通信する。
【０００６】
中央光送受信機とサブセル送受信機間の実質的に無誘導の自由空間光通信は、新しいサブセル送受信機位置への追加の有線接続の必要性を回避する。これは、より少規模の無線通信セル、したがって限られた数の無線周波数のより多い再使用によってより多い容量を有する無線通信装置を提供するコストを減らす。
本発明のさらなる特徴、その特質及び種々の利点は、添付図面と好適な実施例の以下の詳細な説明からより明らかになるだろう。
【０００７】
【発明の実施の形態】
図１において、二点鎖線２０は、無線通信装置１０における従来セルのおよその境界を表わす。例えば、セル２０は、中央アンテナ３０から約１から３マイルまでの範囲の半径を有するほぼ円形になる。本発明によれば、セル２０は複数のサブセル４０ａ−ｄに小分けされる。各サブセル４０ａ−ｄは各アンテナ５０ａ−ｄでサービス提供される。アンテナ３０にある装置は、有線通信リンク６０を介して交換機７０（例えば移動電話交換局）と通信する。リンク６０は好適には光ファイバであるが、代わりに電子的リンクとすることができる。セル２０は、同様に交換局７０でサービス提供されるいくつかの同じセルの見本にすぎない。交換局７０は、一般に、世界的通信網との通信のために通信リンク８０を介して従来の電話会社交換機９０に接続される。もし望むならば、構成要素７０及び９０は同じ物理的位置にあっても良い。
【０００８】
この説明では一般的に、通信装置１０はセルラー電話装置であると仮定されているが、本発明はどんなタイプの通信装置（例えば、ページングシステム、高められた特徴を有するセルラー電話装置等）にも同等に適用可能であることがわかるだろう。
【０００９】
アンテナ３０にある装置は、アンテナ間の実施的に無誘導の光通信によって各アンテナ５０ａ−ｄにある装置と通信する。詳細には、アンテナ３０は、各アンテナ５０ａ−ｄへ大気を介して光３２ａ−ｄを送る光源を備えている。各アンテナ５０ａ−ｄはアンテナ３０から送られた光を受け、光受信した情報（またはその情報の関連部分）に対応する関連サブセル４０ａ−ｄ内へ無線周波数を伝播する。サブセル４０ａ−ｄ内で使用中のセルラー電話機はこの無線周波数情報を受信し、他の動的に割り当てられる無線周波数を使用して他の情報を関連アンテナ５０ａ−ｄに返信する。各サブセルアンテナ５０ａ−ｄにある装置は、装置の一部である変調光源を使用して、その情報を実質的に無誘導の光５２ａ−ｄによりアンテナ５０ａ−ｄからアンテナ３０へ送る。アンテナ３０と関連した装置は、アンテナ５０ａ−ｄから受信した情報を、交換局７０ともし必要なら交換機９０への送信のために通信リンク６０に乗せる。好適には、光リンク３２ａ−ｄ及び５２ａ−ｄのために赤外線が使用される。
【００１０】
一方ではアンテナ３０と他方ではアンテナ５０ａ−ｄとの間の実質的に無誘導の自由空間光リンク３２ａ−ｄ及び５２ａ−ｄの使用は、交換局７０からアンテナ５０ａ−ｄの全てまで有線接続のようなリンク６０を用意する必要があることに関係する費用なしに、セル２０をサブセル４０ａ−ｄに小分けするのを容易にする。例えば、交換局７０と従来の無線周波数送受信機３０間の既存リンク６０をこのシステムに再使用することができる。送受信機３０は、送受信機５０ａ−ｄとの光通信のために無線周波数送受信機から複数の光送受信機へ変えられる。交換局７０と送受信機５０ａ−ｄ間に必要とされる追加の有線接続はない。
【００１１】
本発明による代表的なサブセル装置５０の光学部分の一実施例は図２に示される。考慮はまずアンテナ３０から到来する光３２の処理に傾注される。到来する光３２は５つの異なる波長分割多重化された光波長を含むと仮定される。これらの波長のうちの４つは、それぞれ、アンテナ３０でサービス提供される４つのサブセル４０ａ−ｄのためのメッセージ情報信号である。５番目の波長は、アンテナ３０でサービス提供されるサブセル４０ａ−ｄの全部で共有される制御情報信号である。例えば、この制御情報は、各遠隔アンテナ５０ａ−ｄにある装置で使用され、その遠隔アンテナからサービス提供中のセルラー電話機と通信するための無線周波数を決定する。
【００１２】
平行化レンズ１１０は、到来する光３２を、順方向伝播光サーキュレータ１３０のポート２に導く光ファイバ１２０に集中させる。前記装置にとって普通であるように、順方向伝播光サーキュレータ１３０は光情報を、ポート１からポート２へ及びポート２からポート３へ伝播するが、ポート３からポート１には伝播しない。（この特性は、ポートの数がいくらでも拡張可能である。）したがって、図２において、光サーキュレータ１３０は、到来する光をポート２から、そのポート３に接続された光ファイバ１４０に供給する。
【００１３】
光ファイバ１４０は、説明されている代表的なサブセル装置で使用されない３つのメッセージ情報信号波長のさらなる伝播を遮断するためのブラッグ回折格子フィルタ１５０ａ−ｃを含む。これらの３波長は、セル２０内の３つの他のサブセル４０でそれぞれ使用されるメッセージ情報信号波長である。各ブラッグ回折格子１５０は、ファイバ１４０中に形成されると共にその回折格子で遮断される波長で１００％に近い反射率を有する波長選択ミラーである。したがって、ブラッグ回折格子１５０ａ−ｃの累積効果は、そのメッセージ情報信号波長だけがサブセル装置５０で使用されかつ制御信号波長が順方向伝播光サーキュレータ１６０のポート１に印加されるのを可能にする。（サーキュレータ１３０はブラッグ回折格子１５０によって反射された光を遮断することに注目されたい。サーキュレータ１３０はポート３からポート２へまたはポート３からポート１へのどちらも伝播しないので、これはその通りである。）
【００１４】
サーキュレータ１６０は、ポート１を介して受け取った光を、そのポート２に接続された光ファイバ１７０に印加する。光ファイバ１７０は、制御信号波長がそのファイバ伝いにさらに伝播するのを遮断するためのブラッグ回折格子１８０を含む。したがって、サブセル装置５０で使用されるべきメッセージ情報信号波長だけがブラッグ回折格子１８０を通過し、フォトデテクタ１９０に光結合される。フォトデテクタ１９０はサブセル装置５０の電子回路２００へのメッセージ情報信号入力となる。
【００１５】
ブラッグ回折格子１８０は、制御信号波長を光サーキュレータ１６０のポート２へ反射させる。それに応じて、サーキュレータ１６０は、制御信号波長をポート２から、そのポート３に接続された光ファイバ２１０に印加する。光ファイバ２１０は、電子回路２００への制御信号入力となるフォトデテクタ２２０に光結合される。
【００１６】
電子回路２００は、構成要素１９０及び２２０から入力された制御及びメッセージ情報信号を使用して、関連サブセル４０内のセルラー電話機に送る必要がある無線信号周波数を発生させて伝播する。また、電子回路２００は、それらのセルラー電話機より返送される信号を受信して処理する。サブセル装置５０の動作の無線周波数態様は、（装置の伝播電力及び受信感度を、従来セル２０と比較した場合、サブセル４０の比較的小さな地理的エリアにふさわしくなるように減らすことができることを除いて）実質的に従来的になり得る。
【００１７】
関連サブセル内のセルラー電話機からサブセル装置５０で受信された無線周波数信号は、電子回路で実質的に従来通りに処理され、変調信号として光源２３０に印加される。光源２３０からの光は、光サーキュレータ１３０のポート１に接続された光ファイバ２４０に光結合される。それに応じて、サーキュレータ１３０のポート１からの光は光ファイバ１２０に印加され、実質的に無誘導の光５２として送受信機３０へ返送するために平行化レンズ１１０を介して出ていく。
光源２３０の波長は好適には到来する波長３２のどれとも異なっている。また、セル２０内の各サブセル４０は、それ自身固有の光源２３０波長を有する。
【００１８】
図３は、構成要素３０，６０及び７０の一実施例をより詳細に示す。中央アンテナ３０にある複数の自由空間光送受信機３３０ａ−ｄはそれぞれサブセルアンテナ５０ａ−ｄに向けられる。各送受信機３３０ａ−ｄは、移動電話交換局７０から受信した光を光ファイバ６０を介して関連サブセルアンテナ５０ａ−ｄに送信する。前述したように、アンテナ３０からアンテナ５０ａ−ｄへのこの送信は自由空間光送信３２ａ−ｄとなる。送受信機３３０ａ−ｄは全て、実質的に同一情報を送信することができる。この情報は、各サブセル４０ａ−ｄのための別々のメッセージ情報波長と、サブセル４０ａ−ｄの全部を制御する情報を運ぶさらに別個の制御情報波長を含む。各サブセル装置は、図２に関して前述したように、制御情報波長ばかりでなく、装置向けのメッセージ情報波長もろ波する。
【００１９】
また、送受信機３３０ａ−ｄは各々、関連サブセルアンテナ５０ａ−ｄから中央アンテナ３０に返送される光５２ａ−ｄも受信する。図２に関して前述したように、サブセル５０ａ−ｄは各々、好適に唯一の光波長でアンテナ３０に返送する。
【００２０】
カップラ３２０は、光ファイバ６０から到来する光を、送受信機３３０ａ−ｄに導く光ファイバ３２２ａ−ｄに分配する。反対方向に、カップラ３２０は、サブセルアンテナ５０ａ−ｂから返送された光を光ファイバ６０に印加するように結合する。光ファイバ６０は、光ファイバ伝いにどちらかの方向または両方向に通過する光を光増幅する従来のエルビウムドープ式ファイバ増幅器３１０を含むことができる。
【００２１】
移動電話交換局７０の順方向伝播光サーキュレータ３５０は、光ファイバ６０から到来する光を、ポート２より、ポート３に接続された他の光ファイバを介してデマルチプレクサ３６０に向ける。デマルチプレクサ３６０は、光サーキュレータのポート３から受信した多重光波長を別々の光信号３６２ａ−ｄに分離する。これらの光信号は各々、光検出器に印加されて電子信号を発生し、電子信号は従来の呼処理回路３７０に印加される。
【００２２】
また、呼処理回路３７０は、サブセル４０ａ−ｄの各々に送信するための電子信号を発生する。これらの電子信号は各々、別々の波長を有する各光信号３７２ａ−ｅに変換される。信号３７２ａ−ｄは、それぞれ、サブセル４０ａ−ｄのためのメッセージ情報信号となるが、信号３７２ｅは、サブセル４０ａ−ｄの全部のための制御情報信号となる。カップラ３８０はこれらの５つの光信号を波長分割多重化光信号に合成し、この波長分割多重化光信号は光サーキュレータ３５０のポート１に印加される。サーキュレータ３５０はこの信号をポート１からポート２へ送り、ここで、信号は中央アンテナ３０への送信のために光ファイバ６０に印加される。
【００２３】
示された好適な実施例では、既存の光ファイバリンク６０が移動電話交換局７０と中央アンテナ３０間に使用され、それにより光信号は、一方では光ファイバ６０間で実質的に直接送ることができ、他方では自由空間リンク３２ａ−ｄと５２ａ−ｄ間で送ることができるが注目されるだろう。これらの光ファイバと自由空間リンクの間のインターフェースに必要な電子回路はない。これは、移動電話交換局７０とサブセル４０ａ−ｄ間の高速でエラーのない通信の提供を容易にする。
【００２４】
上記は本発明の原理の単なる例示であり、種々の修正が本発明の範囲及び精神から逸脱することなく当業者によって行われ得ることが理解されるだろう。例えば、セル２０を４つのサブセル４０ａ−ｄに小分けするのは一例に過ぎず、セルはどんな数のサブセルにも小分けすることができる。本発明の範囲内にある修正の他の例として、図面に示される種々の構成要素は目下好適なものであるが、もし望むなら、他の構成要素を使用して、本発明の種々の態様を実行することができる。ここに説明されている光通信は、送信される光のデジタルまたはアナログ変調のどちらによっても良い。多数のサブセルにそれぞれ情報を送信するために多数の光波長を使用することに代わる可能性のあるものとして、全サブセルのための情報を１波長で送信することができ、各サブセルは、そのサブセル向けの情報を電子的に抽出するための装置を含む。これは、サブセルに送信されかつサブセルで処理される光のための光処理装置を多少簡単にするだろうが、各サブセルにおいて必要とされる電子回路２００の複雑さを増大させるだろう。
【図面の簡単な説明】
【図１】本発明にしたがって構成された無線通信装置の一実施例の代表的部分の簡略図である。
【図２】図１に示される装置の一部の一実施例の簡略図である。
【図３】図１に示される装置の他の部分の一実施例のより詳細であるがまだ簡易的な略図である。
【図１】
0003757050.tif 000002
【図２】
0003757050.tif 000003
【図３】
0003757050.tif 000004